(57)【要約】【課題】  放電電圧が減少し、放電効率が向上したＰＤＰを提供するを提供する。【解決手段】  互いに対向配置される第１基板及び第２基板と、第１基板と第２基板との間に配置され、第１基板及び第２基板と共に複数の放電セルを限定する隔壁と、各放電セルで互いに対向するように隔壁の側面に配置される一対の第１電極と、第１電極が延びる方向と交差するように形成され、各放電セルで対向するように隔壁の側面に配置される一対の第２電極と、第１電極及び第２電極を覆うように隔壁の側面に形成され、前記少なくとも一つの電極を覆う部分の横断面が凸状を有する誘電体層と、放電セル内に配置される蛍光体層と、を備えるＰＤＰ。【選択図】  図２
2005327712.tif 000002
【特許請求の範囲】
【請求項１】
互いに対向配置される第１基板及び第２基板と、
前記第１基板と第２基板との間に配置され、前記第１基板及び第２基板と共に複数の放電セルを限定する隔壁と、
前記各放電セルで互いに対向するように前記隔壁の側面に配置される一対の第１電極と、
前記第１電極が延びる方向と交差するように形成され、前記各放電セルで対向するように前記隔壁の側面に配置される一対の第２電極と、
前記第１電極及び第２電極を覆うように前記隔壁の側面に形成され、前記少なくとも一つの電極を覆う部分の横断面が凸状を有する誘電体層と、
前記放電セル内に配置される蛍光体層と、
を備えることを特徴とするプラズマディスプレイパネル。
【請求項２】
前記一放電セルで前記誘電体層の形状は、対称に形成されることを特徴とする請求項１に記載のプラズマディスプレイパネル。
【請求項３】
前記第１電極は、前記隔壁の側面に沿って一方向に延びることを特徴とする請求項１に記載のプラズマディスプレイパネル。
【請求項４】
前記第２電極は、前記隔壁の側面に沿って一方向に延びることを特徴とする請求項１に記載のプラズマディスプレイパネル。
【請求項５】
前記放電セルを横切って延びる第３電極を更に備えることを特徴とする請求項１に記載のプラズマディスプレイパネル。
【請求項６】
前記第３電極は、前記蛍光体層と前記第２基板との間に配置されることを特徴とする請求項５に記載のプラズマディスプレイパネル。
【請求項７】
前記第３電極は、前記第１電極または第２電極が延びる方向と交差するように延びることを特徴とする請求項５に記載のプラズマディスプレイパネル。
【請求項８】
前記第３電極を覆うように形成された下側誘電体層を更に備えることを特徴とする請求項５に記載のプラズマディスプレイパネル。
【請求項９】
前記誘電体層は、保護膜によって覆われることを特徴とする請求項１に記載のプラズマディスプレイパネル。
【請求項１０】
前記隔壁は、マトリックス状に形成されることを特徴とする請求項１に記載のプラズマディスプレイパネル。
【請求項１１】
前記隔壁を挟んで隣接する第２電極が互いに連結されることを特徴とする請求項１に記載のプラズマディスプレイパネル。
【請求項１２】
前記第１電極及び第２電極は、電極面積を広げるための拡張部を備えることを特徴とする請求項１に記載のプラズマディスプレイパネル。
【請求項１３】
前記第１電極及び前記第２電極は、互いに離れて配置されることを特徴とする請求項１に記載のプラズマディスプレイパネル。
【請求項１４】
互いに対向配置される第１基板及び第２基板と、
前記第１基板と第２基板との間に配置され、前記第１基板及び第２基板と共に複数の放電セルを限定する隔壁と、
前記各放電セルで互いに対向するように前記隔壁の側面に配置される一対の第１電極と、
前記第１電極が延びる方向と交差するように形成され、前記各放電セルで対向するように前記隔壁の側面に配置される一対の第２電極と、
前記第１電極及び第２電極を覆うように前記隔壁の側面に形成され、前記第１電極及び第２電極から遠ざかるにつれて薄くなるように形成される誘電体層と、
前記放電セル内に配置される蛍光体層と、
を備えることを特徴とするプラズマディスプレイパネル。
【請求項１５】
前記一放電セルで前記誘電体層の形状は、対称に形成されることを特徴とする請求項１４に記載のプラズマディスプレイパネル。
【請求項１６】
前記第１電極は、前記隔壁の側面に沿って一方向に延びることを特徴とする請求項１４に記載のプラズマディスプレイパネル。
【請求項１７】
前記第２電極は、前記隔壁の側面に沿って一方向に延びることを特徴とする請求項１４に記載のプラズマディスプレイパネル。
【請求項１８】
前記放電セルを横切って延びる第３電極を更に備えることを特徴とする請求項１４に記載のプラズマディスプレイパネル。
【請求項１９】
前記第３電極は、前記蛍光体層と前記第２基板との間に配置されることを特徴とする請求項１８に記載のプラズマディスプレイパネル。
【請求項２０】
前記第３電極は、前記第１電極または第２電極が延びる方向と交差するように延びることを特徴とする請求項１８に記載のプラズマディスプレイパネル。
【請求項２１】
前記第３電極を覆うように形成された下側誘電体層を更に備えることを特徴とする請求項１８に記載のプラズマディスプレイパネル。
【請求項２２】
前記誘電体層は、保護膜によって覆われることを特徴とする請求項１４に記載のプラズマディスプレイパネル。
【請求項２３】
前記隔壁は、マトリックス状に形成されることを特徴とする請求項１４に記載のプラズマディスプレイパネル。
【請求項２４】
前記隔壁を挟んで隣接する第２電極が互いに連結されることを特徴とする請求項１４に記載のプラズマディスプレイパネル。
【請求項２５】
前記第１電極及び第２電極は、電極面積を広げるための拡張部を備えることを特徴とする請求項１４に記載のプラズマディスプレイパネル。
【請求項２６】
前記第１電極及び前記第２電極は、互いに離れて配置されることを特徴とする請求項１４に記載のプラズマディスプレイパネル。
【発明の詳細な説明】
【技術分野】
【０００１】
本発明は、プラズマディスプレイパネルに係り、より詳細には、放電電圧が減少し、放電効率が向上したプラズマディスプレイパネル（Ｐｌａｓｍａ ｄｉｓｐｌａｙ ｐａｎｅｌ：以下、ＰＤＰ）に関する。
【背景技術】
【０００２】
ＰＤＰを採用した装置は、大画面でありつつも、高画質、超薄型、軽量化及び、広視野角の優れた特性があり、他の平板ディスプレイ装置に比べて製造方法が簡単で、且つ大型化が容易であり、次世代の平板ディスプレイ装置として脚光を浴びている。
【０００３】
そのようなＰＤＰは、印加される放電電圧特性により、直流（ＤＣ）型、交流（ＡＣ）型及び、混合（Ｈｙｂｒｉｄ）型に分類され、放電構造により、対向放電型及び面放電型に分類されうるが、最近には、交流型の３電極面放電構造を有する交流型ＰＤＰが一般的に採用されている。
【０００４】
図１には、通常的な交流型３電極面放電ＰＤＰ１００が示されている。
【０００５】
図示されたＰＤＰ１００は、上板１１０と下板１２０とを備える。上板１１０は、前面基板１１１と、前面基板１１１の下面に形成された共通電極１１２と、共通電極１１２と放電ギャップをなす走査電極１１３と、共通電極１１２及び走査電極１１３を埋め込む第１誘電体層１１４と、第１誘電体層１１４の下面に形成された保護層１１５と、を備える。そして、下板１２０は、背面基板１２１と、背面基板１２１上に配置されて共通電極１１２及び走査電極１１３と交差するように形成されたアドレス電極１２２と、アドレス電極１２２を埋め込む第２誘電体層１２３と、第２誘電体層１２３の上面に所定間隔離れて形成されて、放電空間１２５を限定する隔壁１２８と、放電セル１２５に形成された蛍光体層１２６と、放電セル１２５には満たされた放電ガス（図示せず）と、を備える。
【０００６】
図１に示された従来の３電極面放電型ＰＤＰ１００においては、蛍光体層１２６から発散された可視光線が、前面基板１１１の下面に配置された走査電極１１３、共通電極１１２、電極１１２、１１３を覆う誘電体層１１４、及び保護層１１５によって殆ど（約４０％）が吸収され、したがって、発光効率が低いという問題点があった。
【０００７】
また、放電セル１２５内の荷電粒子が電界により電極方向だけでなく隔壁１２８へも広がる。そのように、隔壁１２８と衝突した荷電粒子は放電に寄与できないため、荷電粒子の損失をもたらす。したがって、ＰＤＰの放電効率が減少する。
【発明の開示】
【発明が解決しようとする課題】
【０００８】
本発明は、前記のような問題点を解決するために、放電電圧が減少し、放電効率が向上したＰＤＰを提供することを目的とする。
【課題を解決するための手段】
【０００９】
前記のような目的及びその他の目的を達成するために、本発明は、互いに対向配置される第１基板及び第２基板と、前記第１基板と第２基板との間に配置され、前記第１基板及び第２基板と共に複数の放電セルを限定する隔壁と、前記各放電セルで互いに対向するように前記隔壁の側面に配置される一対の第１電極と、前記第１電極が延びる方向と交差するように形成され、前記各放電セルで対向するように前記隔壁の側面に配置される一対の第２電極と、前記第１電極及び第２電極を覆うように前記隔壁の側面に形成され、前記少なくとも一つの電極を覆う部分の横断面が凸状を有する誘電体層と、前記放電セル内に配置される蛍光体層と、を備えるＰＤＰを提供する。
【００１０】
また、本発明の他の側面によれば、本発明は、互いに対向配置される第１基板及び第２基板と、前記第１基板と第２基板との間に配置され、前記第１基板及び第２基板と共に複数の放電セルを限定する隔壁と、前記各放電セルで互いに対向するように前記隔壁の側面に配置される一対の第１電極と、前記第１電極が延びる方向と交差するように形成され、前記各放電セルで対向するように前記隔壁の側面に配置される一対の第２電極と、前記第１電極及び第２電極を覆うように前記隔壁の側面に形成され、前記第１電極及び第２電極から遠ざかるにつれて厚さが薄くなるように形成される誘電体層と、前記放電セル内に配置される蛍光体層と、を備えるＰＤＰを提供する。
【００１１】
本発明において好ましくは、前記ＰＤＰにおいて、前記一放電セルで前記誘電体層の形状は対称に形成されうる。
【００１２】
また、本発明において好ましくは、前記ＰＤＰにおいて、前記第１電極及び第２電極は前記隔壁の側面に沿って一方向に延び得る。
【００１３】
また、本発明において好ましくは、前記ＰＤＰにおいて、前記放電セルを横切って延びる第３電極を更に備え得る。その時、好ましくは、前記第３電極が前記蛍光体層と前記第２基板との間に配置され、前記第１電極または第２電極が延びる方向と交差するように延び得る。
【００１４】
本発明によれば、第１電極及び第２電極を覆う誘電体層の断面積が凸状を有するため、相対的に誘電率が高い誘電体によって放電が発生する第１電極と第２電極との間の誘電率が増加する効果を有する。したがって、相対的に低い放電電圧によって放電が発生しうるだけでなく、安定した放電が可能となる。
【００１５】
また、本発明に係るＰＤＰは、第１基板に従来のＰＤＰの第１基板に存在した電極が存在していないため、可視光線の前方透過率が著しく向上する。
【００１６】
また、本発明に係るＰＤＰは、隔壁と衝突して失われる粒子が減少するため、放電効率が向上する。
【００１７】
また、本発明に係るＰＤＰは、放電が放電空間を形成するあらゆる側面で発生しうるため、放電面が大きく拡大しうる。すなわち、放電が放電セルの４つのコーナーでまず発生して放電セルの中央部へ広がるため、放電領域が従来に比べて著しく向上することにより放電セルの全体を効率的に利用できる。したがって、低電圧でも駆動が可能となり、発光効率を画期的に向上させうる。
【００１８】
また、本発明に係るＰＤＰは、低電圧駆動が可能な構造を有するため、高農度Ｘｅガスを放電ガスとして使用しても低電圧駆動が可能となり、発光効率を向上させうる。
【発明の効果】
【００１９】
本実施例での維持放電は、放電セル２２０の４つのコーナーで放電が始まって、次第に放電セル２２０の中央部へ広がる。それによって、維持放電が発生する領域の体積が増加し、また、従来にはよく使われていなかった放電セル２２０内の空間電荷も発光に寄与するようになる。それにより、ＰＤＰの放電効率を向上させうる。
【発明を実施するための最良の形態】
【００２０】
以下、添付した図面を参照して本発明を更に詳細に説明する。
【００２１】
図２ないし図９を参照して本発明の一実施例に係るＰＤＰ２００について詳細に説明する。
【００２２】
本発明の一実施例に係るＰＤＰ２００は、互いに対向配置される第１基板２０１及び第２基板２０２と、第１基板２０１と第２基板２０２との間に配置され、第１基板及び第２基板２０１、２０２と共に複数の放電セル２２０を限定する隔壁２０５と、各放電セル２２０で互いに対向するように隔壁２０５の側面に配置される一対の第１電極２０６と、前記第１電極２０６が延びる方向と交差するように形成され、各放電セル２２０で対向するように隔壁２０５の側面に配置される一対の第２電極２０７と、第１電極２０６及び第２電極２０７を覆うように隔壁２０５の側面に形成され、少なくとも一つの電極を覆う部分の横断面が凸状を有する誘電体層２０８と、放電セル２２０内に配置される蛍光体層２１０と、を備える。
【００２３】
本実施例では、放電セル２２０で生成された可視光が第１基板２０１を通じて外部へ出射されるため、第１基板２０１は、ガラスのような光透過性のよい材料より製造される。第１基板２０１には、従来のＰＤＰの前面基板に存在した電極１１２、１１３が存在していないため、可視光線の前方透過率が著しく向上する。したがって、従来水準の輝度で画像を具現すれば、電極１１２、１１３を相対的に低い電圧で駆動するようになり、したがって、発光効率が向上する。
【００２４】
第２基板２０２もガラスのような材料を利用して製造されることが一般的である。
【００２５】
第１基板と第２基板２０１、２０２との間には、両基板と共にプラズマ放電がおきる放電セル２２０を限定する隔壁２０５が形成されている。隔壁２０５は、一方向に平行に延びる第１隔壁部２０５ａと、それと交差する方向に平行に延びるように形成される第２隔壁部２０５ｂと、を備える。そのような第１隔壁部２０５ａと第２隔壁部２０５ｂとは、一体に形成されることが好ましい。隔壁２０５は、全体的にマトリックス状の構造をなして、互いに独立した放電空間を有する複数の放電セル２２０を限定する。
【００２６】
図２には、隔壁２０５が四角形の横断面を有する放電セル２２０を区画するマトリックス状と示されているが、それに限定されるものではなく、複数の放電空間を形成できるかぎり、多様な形態を有するように形成されうる。
【００２７】
各隔壁２０５の側面には、対をなす第１電極２０６及び第２電極２０７が各放電セル２２０で互いに対向するように配置される。すなわち、図示されたように、一対の第１電極２０６ａ、２０６ｂが一放電セル２２０を限定する第１隔壁部２０５ａの両側面にそれぞれ形成され、各放電セル２２０で互いに対向するように配置される。また、一対の第２電極２０７ａ、２０７ｂが第２隔壁部材２０５ｂの両側面にそれぞれ形成され、各放電セル２２０で互いに対向するように配置される。
【００２８】
図４及び図５に示されたように、第１電極２０６と第２電極２０７とが互いに離れて配置される。例えば、本実施例でのように、第１電極２０６を隔壁２０５の側面のうち、第１基板２０１に隣接した部分に配置し、第２電極２０７を隔壁２０５の側面のうち、第２基板２０２に隣接した部分に配置できる。しかし、前記の第１電極２０６及び第２電極２０７の位置を互いに変えて配置できる。
【００２９】
図６は、各電極２０６、２０７の配列構造を一つの平面に概略的に示している。ただし、ここで交差する部分が重なるように示しているが、実際の場合、交差する部分で互いに上下に離れている。
【００３０】
第１電極２０６は、第１隔壁部２０５ａの側面に沿って延び、第２電極２０７は、前記第１電極２０６と交差する方向に第２隔壁部２０５ｂの側面に沿って延びる。そして、そのようにつながる各電極２０６、２０７の放電セル２２０の内部に対応する部分には、拡張部２０６ｃ、２０７ｃが形成される。
【００３１】
拡張部２０６ｃ、２０７ｃによって放電セル２２０の内部で、更に広い面積に壁電荷を形成でき、放電を更に効率的に放電セル２２０の全体空間で発生させ得る。
【００３２】
第１電極２０６及び第２電極２０７は、アルミニウム、銅のような導電性金属より形成される。
【００３３】
本発明の一実施例に係るＰＤＰ２００では、アドレス電極の機能を有する第３電極２０３を更に備え得る。また、第１電極２０６は走査電極の機能を有し、第２電極２０７は共通電極の機能を有する。
【００３４】
第２電極２０７が共通電極の作用を有するため、第２隔壁部２０５ｂを挟んで隣接した電極同士で前記第２隔壁部材２０５ｂを貫通して互いに連結されうる。したがって、第２電極２０７には、全体に共通された維持電圧が印加されて、前記第１電極２０６と共に作用して維持放電を可能にする。
【００３５】
もし、第３電極２０３が備えられていない場合、第１電極２０６は、スキャン及び維持電極の機能を行い、第２電極２０７は、アドレッシング及び維持電極の機能を行う。
【００３６】
放電セル２２０を区画する各隔壁面の上に、前記電極２０６、２０７を覆うように誘電層２０８が形成される。すなわち、第１電極２０６を覆うように前記第１隔壁部２０５ａの側面に誘電体層２０８が塗布され、第２電極２０６を覆うように前記第２隔壁部２０５ｂの側面に誘電層２０８が塗布される。誘電体層２０８は、第１電極２０６及び第２電極２０７が形成されている部分のみに局部的に形成されうるが、好ましくは、放電セル２２０の周縁に沿って取り囲むように形成される。
【００３７】
また、第１電極２０６及び第２電極２０７を覆う誘電体層の横断面が凸状２０３ａ、２０３ｂを有する。すなわち、放電セル２２０の内部に向かう方向に誘電体層２０３が突設される。したがって、第１電極２０６及び第２電極２０７から遠ざかるにつれて誘電体層２０８が薄くなる。そのような凸状の横断面２０３ａ、２０３ｂを有する誘電体層２０８は、放電セル２２０で対称的に形成されることが放電の均一性のために好ましい。
【００３８】
誘電体層２０８は、放電時に第１電極２０６と第２電極２０７とが直接通電されることを防止し、荷電粒子が前記電極２０６、２０７と直接衝突してそれらを損傷させることを防止し、荷電粒子を誘導して壁電荷を蓄積する。誘電体層２０８は、ＰｂＯ、Ｂ２Ｏ３、ＳｉＯ２のような誘電体より形成される。
【００３９】
誘電体層２０８を覆うように保護膜２０９としてＭｇＯ膜が形成されうる。ＭｇＯ膜２０９は、必須構成要素ではないが、それは、荷電粒子が誘電体層２０８と衝突してそれを損傷させることを防止し、放電時に２次電子を多く放出する。
【００４０】
第２基板２０２と蛍光体層２１０との間には、第３電極２０３が放電セル２２０を横切って延びるように形成される。すなわち、本実施例で第３電極２０３は、第２隔壁部２０５ｂの間を通るように配列されるため、第２電極２０７と平行に延びる。
【００４１】
しかし、第３電極２０３は、第２電極（２０７）が延びる方向と交差する方向、すなわち、第１電極２０６が延びる方向と平行に形成されうる。その時、第３電極２０３は、第１隔壁部２０５ａの間を通るように配列される。
【００４２】
第３電極２０３が埋め込まれている下側の誘電体層２０４は、放電時に正イオンまたは電子が第３電極２０３と衝突して第３電極２０３を損傷させることを防止しつつも、電荷を誘導できる誘電体として形成されるが、そのような誘電体としては、ＰｂＯ、Ｂ２Ｏ３、ＳｉＯ２などがある。本発明の一実施例では、第３電極２０３は、アドレス電極の機能を行うように電圧が印加される。
【００４３】
隔壁２０５の下側面と隔壁２０５との間の誘電体層２０８上には、蛍光体層２１０が形成されている。蛍光体層２１０は、紫外線を受けて可視光線を発生する成分を有するが、赤色発光サブピクセルに形成された蛍光体層は、Ｙ（Ｖ,Ｐ）Ｏ４：Ｅｕのような蛍光体を含み、緑色発光サブピクセルに形成された蛍光体層は、Ｚｎ２ＳｉＯ４：Ｍｎ、ＹＢＯ３：Ｔｂのような蛍光体を含み、青色発光サブピクセルに形成された蛍光体層は、ＢＡＭ：Ｅｕのような蛍光体を含む。
【００４４】
放電セル２２０には、Ｎｅ、Ｘｅ等、及びそれらの混合気体のような放電ガスが封じ込められる。本実施例を含む本発明の場合、放電面積が増加し、且つ放電領域が拡大しうるため、形成されるプラズマの量が増加し、低電圧駆動が可能となる。したがって、本発明の場合、高農度Ｘｅガスを放電ガスとして使用しても、低電圧駆動が可能となることにより、発光効率を画期的に向上させうる。それは、従来のＰＤＰで高農度Ｘｅガスを放電ガスとして使用する場合、低電圧駆動が非常に難しくなるという問題点を解決したものである。
【００４５】
前記のような構成を有する本発明の一実施例に係るＰＤＰ２００においては、第３電極２０３と第１電極２０６との間にアドレス電圧が印加されることでアドレス放電が発生し、そのアドレス放電の結果により維持放電が発生する放電セル２２０が選択される。
【００４６】
その後、前記選択された放電セル２２０の第１電極２０６と第２電極２０７との間に交流である維持放電電圧が印加されれば、第１電極２０６と第２電極２０７との間に維持放電が発生する。その維持放電によって励起された放電ガスのエネルギーレベルが低くなることによって紫外線が放出される。そして、その紫外線が放電セル２２０内に塗布された蛍光体層２１０を励起させるが、その励起された蛍光体層２１０のエネルギーレベルが低くなることによって可視光が放出され、その放出された可視光が画像を構成するようになる。
【００４７】
一方、前記説明したような電極構造を有するＰＤＰ２００で、維持放電時の放電セル２２０内での放電現象を説明すれば次の通りである。
【００４８】
各放電セル２２０には、一対の第１電極２０６ａ、２０６ｂと一対の第２電極２０７ａ、２０７ｂとが配置され、それらの第１電極２０６ａ、２０６ｂには同じ波形の電圧が印加され、第２電極２０７ａ、２０７ｂにも同じ波形の電圧が印加される。
【００４９】
図７は、本発明の一実施例に係るＰＤＰの電極２０６ａ、２０６ｂ、２０７ａ、２０７ｂにそれぞれ印加される放電維持パルスを示した図面であり、図８は、図７のＩ区間での放電形状を概略的に示し、図９は、７のＩＩ区間での放電形状を概略的に示している。
【００５０】
図７のＩ区間では、第２電極２０７ａ、２０７ｂに維持電圧Ｖｓが印加され、第１電極２０６ａ、２０６ｂには、それよりも相対的に低い電圧の接地電圧ＶＧが印加される。その時、図８に示されたように、相対的に電圧の高い第２電極２０７ａ、２０７ｂが（＋）電極になり、相対的に電圧の低い第１電極２０６ａ、２０６ｂが（−）電極になり、放電セル２２０内に電場が形成される。その時、電極間の距離が近い部分であるコーナーの第１経路ｆ１を通じて放電がまず開始される。その後には、放電は、電極間の距離が遠い第２経路ｆ２と第３経路ｆ３とに順次に拡散する。
【００５１】
本発明の一実施例に係るＰＤＰ２００で、第１電極２０６及び第２電極２０７を覆う誘電体層２０８の断面積が凸状を有するため、平らな横断面の誘電体層を有する構造に比べて、第２経路ｆ２及び第３経路ｆ３の誘電率が相対的に高くなる。それは、誘電率が低い放電気体を横切る放電経路が、誘電率が高い誘電体層の凸部２０８ａによって減少する効果を有するためである。したがって、相対的に低い放電電圧によって放電が発生し、かつ安定した放電が可能となる。
【００５２】
もし、図７のＩＩ区間での放電電圧が第１電極２０６ａ、２０６ｂ及び第２電極２０７ａ、２０７ｂに印加されれば、電極の電位が互いに変わって、図９に示されたように、Ｉ区間での放電と同様に第１経路ｇ１、第２経路ｇ２、第３経路ｇ３を通じて放電が進行する。また、前記したように、誘電体層の凸部２０８ａによって放電電圧が減少し、安定した放電が可能となる。
【００５３】
また、本発明に係るＰＤＰ２００では、電極２０６、２０７が隔壁の側面に配置されて、それを中心に放電が発生するため、隔壁２０５と衝突によって消滅されることで、放電に寄与できない荷電粒子が減少する。
【００５４】
前記図面において、同じ参照符号は同じ部材を示す。
【００５５】
本発明は、図示された実施例を参考して説明されたが、これは例示的なものに過ぎず、当業者ならば、これから多様な変形及び均等な他の実施例が可能であるということが理解できる。したがって、本発明の真の技術的保護範囲は、特許請求の範囲の技術的思想によって決まらねばならない。
【産業上の利用可能性】
【００５６】
本発明のＰＤＰを採用すれば、放電電圧が減少し、放電効率が向上したＰＤＰを製造できる。
【図面の簡単な説明】
【００５７】
【図１】従来のＰＤＰを示す分離斜視図である。
【図２】本発明の一実施例に係るＰＤＰを示す分離斜視図である。
【図３】図２のIII−III線に沿って切り取った断面図である。
【図４】図３のIV−IV線に沿って切り取った断面図であって、隣接する放電セルを含んで示した図面である。
【図５】図３のＶ−Ｖ線に沿って切り取った断面図であって、隣接する放電セルを含んで示した図面である。
【図６】本実施例の電極配列を概略的に示した図面である。
【図７】維持放電時に図２のＰＤＰに印加される電圧を示した図面である。
【図８】図７のＩ区間による放電現象を概略的に示した図面である。
【図９】図７のＩＩ区間による放電現象を概略的に示した図面である。
【符号の説明】
【００５８】
２００  ＰＤＰ
２０１  第１基板
２０２  第２基板
２０３  第３電極
２０４  誘電体層
２０５  隔壁
２０６  第１電極
２０７  第２電極
２０８  誘電体層
２０８ａ  誘電体層の凸部
２０９  保護膜
２１０  蛍光体層
２２０  放電セル
【図１】
2005327712.tif 000003
【図２】
2005327712.tif 000004
【図３】
2005327712.tif 000005
【図４】
2005327712.tif 000006
【図５】
2005327712.tif 000007
【図６】
2005327712.tif 000008
【図７】
2005327712.tif 000009
【図８】
2005327712.tif 000010
【図９】
2005327712.tif 000011